(57)【要約】【課題】踏み台等を使用することなく棚面上に収納された収納物を容易に確認できて、使い勝手に優れた棚構造を提供する。【解決手段】棚面として機能する板体を備えた吊り戸棚等の棚を使用者の目線より上方に配置する棚構造であって、板体の上方に、該板体上に収納される収納物を写し出してその像を使用者に視認させ得る反射手段を配設したことを特徴とする。反射手段は、棚を構成する板体上方の天板下面もしくは他の板体下面に配設されたり、開閉可能な扉の内面に配設され、また、反射手段は、必要に応じ傾斜状態で配設される。【選択図】  図２
2004344248.tif 000002
【特許請求の範囲】
【請求項１】
棚面として機能する板体を備えた棚を使用者の目線より上方に配置する棚構造であって、
前記板体の上方に、該板体上に収納される収納物を写し出してその像を使用者に視認させ得る反射手段を配設したことを特徴とする棚構造。
【請求項２】
前記反射手段は、棚を構成する前記板体上方の天板下面もしくは他の板体下面に配設されていることを特徴とする請求項１に記載の棚構造。
【請求項３】
前記反射手段は、棚を構成する開閉可能な扉の内面に配設されていることを特徴とする請求項１または２に記載の棚構造。
【請求項４】
前記反射手段は、前記天板下面、板体下面もしくは扉内面に傾斜状態で配設されていることを特徴とする請求項２または３に記載の棚構造。
【請求項５】
前記反射手段は、ミラーもしくは反射板で形成されていることを特徴とする請求項１ないし４のいずれかに記載の棚構造。
【請求項６】
前記棚は、少なくとも左右の側板、天板、底板、背面板及び扉を有する箱状のキャビネットで構成されていることを特徴とする請求項１ないし５のいずれかに記載の棚構造。
【発明の詳細な説明】
【０００１】
【発明の属する技術分野】
本発明は、例えばキッチンのカウンター上方に配置される吊り戸棚等の棚構造に係わり、特に棚面上に収納された収納物を使用者が容易に確認できる棚構造に関する。
【０００２】
【従来の技術】
一般的に、水廻り空間としてのキッチンにおいては、カウンター下部に下部収納部が設けられると共に、カウンターの上方に上部収納部としての吊り戸棚が配設されており、収納物の使用頻度等に応じて、下部収納部かあるいは吊り戸棚かが適宜に選択使用されている。そして、このような吊り戸棚は、例えば特許文献１に示すように、左右の側板、天板、底板、背面板、扉及び棚板で箱状に形成されたキャビネットを有し、このキャビネットの背面板側を壁面に適宜の取付構造で取り付けることにより、吊り戸棚がカウンター上方の所定高さ位置に配置されている。
【０００３】
【特許文献１】
特開２００２−２２３８７０号公報
【０００４】
【発明が解決しようとする課題】
しかしながら、このような吊り戸棚にあっては、扉を有する内部が視認されない箱状のキャビネットで構成され、このキャビネットがキッチンの使用者の目線よりかなり高い位置となる場合が多いので、キッチンの使用者が吊り戸棚内の収納物を出し入れする際に、扉を開けてもキャビネット内の底板や棚板等の棚面上に収納した収納物を目視で確認することが困難であり、例えばキッチンの床面上に置いた踏み台等の上に乗って確認しているのが現実である。
【０００５】
そして、吊り戸棚自体にこのような使い勝手の不便さがあること、及び多くの家庭で吊り戸棚内に使用頻度の低い収納物を収納する傾向にあることから、吊り戸棚内の収納物を取り出す際に、その収納位置の記憶が曖昧となり易く、前述した踏み台等を使用し複数の吊り戸棚の扉を一々開けて確認する必要性が生じる。そのため、吊り戸棚内の収納物の確認が極めて面倒な作業となり、特に、最上段の棚板の後部に収納した収納物の確認が一層困難となって、吊り戸棚の使い勝手が十分でないという問題点を有している。
【０００６】
本発明はこのような事情に鑑みてなされたもので、その目的は、踏み台等を使用することなく棚面上に収納された収納物を容易に確認できて、使い勝手に優れた棚構造を提供することにある。
【０００７】
【課題を解決するための手段】
かかる目的を達成すべく、本発明のうち請求項１に記載の発明は、棚面として機能する板体を備えた棚を使用者の目線より上方に配置する棚構造であって、前記板体の上方に、該板体上に収納される収納物を写し出してその像を使用者に視認させ得る反射手段を配設したことを特徴とする。
【０００８】
このように構成することにより、例えばキッチンのカウンター上方の壁面に配置され棚面として機能する板体上の収納物は、板体の上方に配設された反射手段によって写し出される。そして、この時、反射手段をその写し出された像が使用者によって視認され得るように設定することで、使用者の目線より高い位置に収納された収納物であっても、踏み台等を使用することなく収納物の確認が極めて容易に行なえ、棚自体の使い勝手の向上が図れる。
【０００９】
そして、前記反射手段は、請求項２に記載の発明のように、棚を構成する前記板体上方の天板下面もしくは他の板体下面に配設されていることが好ましい。このように構成することにより、収納物が載置収納される板体上方の天板や他の棚板下面に反射手段が配設されることから、反射手段でその下方の収納物を確実に写し出すことができて、収納物の確認が一層容易に行なえる。
【００１０】
また、前記反射手段は、請求項３に記載の発明のように、棚を構成する開閉可能な扉の内面に配設されていることが好ましい。このように構成することにより、扉を開放することで扉内面に配設された反射手段に内部の収納物が写し出されることから、扉の開放角度によって内部の収納物を確実に写し出すことができて、収納物の確認がより一層容易に行なえる。
【００１１】
また、前記反射手段は、請求項４に記載の発明のように、前記天板下面、棚板下面もしくは扉内面に傾斜状態で配設されていることが好ましい。このように構成することにより、反射手段が天板下面や扉内面等に傾斜状態で配設されることから、板体上等に収納された収納物を傾斜状態の反射手段で一層確実に写し出すことができて、収納物の確認がより一層容易に行なえる。
【００１２】
また、前記反射手段は、請求項５に記載の発明のように、ミラーもしくは反射板で形成されていることが好ましい。このように構成することにより、反射手段としてのミラーを使用することで、収納物を明瞭に写し出すことができ、また反射手段として金属板や反射シート等の反射板を使用することで、反射手段を天板下面等に簡単に取り付けできる等、反射手段の構成の簡略化が図れる。
【００１３】
また、前記棚は、請求項６に記載の発明のように、少なくとも左右の側板、天板、底板、背面板及び扉を有する箱状のキャビネットで構成されていることが好ましい。このように構成することにより、棚が箱状のキャビネットで構成されることから、普段使用しない収納物をキャビネット内に外部から視認されない状態で確実に収納できると共に、箱状の棚を壁面に良好な状態で配置できる。
【００１４】
【発明の実施の形態】
以下、本発明の実施の形態を図面に基づいて詳細に説明する。
図１〜図３は、本発明に係わる棚構造をキッチンの吊り戸棚に適用した場合の一実施形態を示し、図１がキッチンの全体を示す斜視図、図２が吊り戸棚の取付状態の断面図、図３が図２のＡ−Ａ線矢視図である。
【００１５】
図１において、キッチン１は、上面にカウンター３が配置された下部キャビネット２と、カウンター３の上方の壁面に取り付けられたウォールキャビネットとしての吊り戸棚４及びレンジフード５等を有している。前記下部キャビネット２は箱状に形成されて、その前面には、開閉可能な扉６を有する複数の収納部が設けられると共に複数の引き出し７が出し入れ可能に配設されている。また、この下部キャビネット２の上部に配置される前記カウンター３は、例えば人工大理石によって形成され、その長手方向の一端側にはシンク８が配設されると共に、長手方向の他端側にはコンロ９が配設されている。
【００１６】
また、前記吊り戸棚４は、例えば観音開き式（図３の矢印イ方向）に開く左右一対の扉１０を有するキャビネット１１と、１つの扉１２を有するキャビネット１３を連設することによって形成されており、これらの各キャビネット１１、１３は、左右幅方向の長さや扉の数が異なるものの、基本的に同一構造に構成されている。
【００１７】
すなわち、図２に示すように、キャビネット１１は、左右の側板１１ａ、１１ｂ（側板１１ａは図１参照）と、天板１１ｃ、底板１１ｄ、背面板１１ｅを組み付けることにより形成され、その前面に前記一対の扉１０が取り付けられると共に、内部の所定高さ位置に棚板１４が固定的（もしくは高さ調整可能）に配設されている。そして、上面が棚面として機能する棚板１４及び底板１１ｄ上には、収納物Ｗが載置収納されると共に、この収納物Ｗの上方に位置する天板１１ｃ下面と棚板１４下面には、反射手段を構成する反射板１５が一体的に配設されている。
【００１８】
この反射板１５は、例えば表面が鏡面の反射シートあるいはステンレス板等の金属板が使用され、これが両面接着テープ、接着剤あるいはネジ固定等の適宜の固着手段１６により天板１１ｃ下面と棚板１４下面に固着されている。また、反射板１５は、図３に示すように、その大きさが天板１１ｃや棚板１４の大きさより僅かに小さく設定されて、天板１１ｃ下面や棚板１４下面の略全域に亘って取り付けられている。
【００１９】
このように構成されたキャビネット１１は、キッチン１のカウンター３上方の壁面２３でその床面からの高さが例えばＨ＝１６５０ｍｍ程度の位置に、背面板１１ｅがネジ等で固定されることにより壁面２３に取り付けられて吊り戸棚４を形成している。そして、キャビネット１１内の反射板１５に、棚板１４上面や底板１１ｄ上面に載置収納された下方の収納物Ｗが写し出されて、収納物Ｗが使用者に視認されることになる。
【００２０】
つまり、キャビネット１１内の収納物Ｗの上方に位置する天板１１ｃ下面と棚板１４下面に反射板１５を固着することで、扉１１を開放した際に、反射板１５に下方の収納物Ｗを写し出すことができ、この写し出された収納物Ｗの像が、図２の点線で示す使用者の視線Ｓにより視認されて、使用者がキッチン１の床面上に立ったままの状態でもキャビネット１１内の収納物Ｗを確認できることになる。なお、キャビネット１３も同様に、その天板下面と棚板下面（図示せず）に反射板１５が固着されており、扉１２を開放した際に、棚板上や底板上の収納物が使用者に視認されるようになっている。また、キャビネット１１とキャビネット１３は別体に限らず、一体形成することも可能である。
【００２１】
ところで、以上の例においては、反射手段として反射板１５を使用したが、例えば薄い板状のミラーを使用して、このミラーによってキャビネット１１内部の収納物Ｗを一層明瞭に視認できるように構成しても良い。また、以上の例においては、反射板１５を天板１１ｃ下面や棚板１４下面の略全域に取り付けたが、例えば図４の実線で示すように、天板１１ｃ下面や棚板１４下面の前面寄りの所定領域に設けたり、図４の二点鎖線で示すように、左右の幅方向に複数に分割して設けることで、キャビネット１１内の収納物Ｗを狭い面積の反射板１５で効率的に視認できるようにしても良い。
【００２２】
さらに、以上の例においては、反射板１５を天板１１ｃ下面や棚板１４下面に一体的に固着することで各板１１ｃ、１４の下面に平坦状に配設したが、例えば図５に示すように、反射板１５を角度付与部材としての断面楔状のパッキン１７を介して棚板１４下面及び天板１１ｃ下面に固着することにより、反射板１５を所定角度α傾斜した状態で配設するようにしても良い。この反射板１５を傾斜させる場合は、傾斜角度αを所定に設定することで、底板１１ｄや棚板１４の奥部に収納された確認し難い収納物Ｗであっても視認し易くすることができる。
【００２３】
このように、上記実施形態の吊り戸棚４においては、収納物Ｗが載置収納された底板１１ｄと棚板１４の上方の棚板１４下面と天板１１ｃ下面に反射板１５が固着されているため、この反射板１５に下方の収納物Ｗを写し出すことができると共に、この反射板１５に写し出された収納物Ｗの像を、扉１０を開放した際にキャビネット１１より下方に位置する使用者の視線Ｓで視認することができる。特に、反射板１５が棚板１４や天板１１ｃの下面の略全域に固着されているため、底板１１ｄ上面や棚板１４上面に載置されている収納物Ｗの収納位置に係わらず、反射板１５に全ての収納物Ｗを写し出すことができる。
【００２４】
その結果、キッチン１の使用者が床面に立ったままの状態で、吊り戸棚４の扉１０を開放し視線Ｓを上方に向けるだけでキャビネット１１内の収納物Ｗが何であるかを確認でき、従来のように、収納物Ｗの確認のために踏み台を準備したりその上に乗る必要もなくなり、キャビネット１１内の収納物Ｗの確認を極めて容易に行うことができて、キッチン１のカウンター３上方に配置される吊り戸棚４の使い勝手の向上を図ることが可能になる。
【００２５】
また、反射板１５を棚板１４下面や天板１１ｃ下面に固着手段１６により一体的に固着することで、この反射板１５に収納物Ｗを確実に写し出すことができるため、反射板１５の取付構造の簡略化が図れる等、簡易な構成で収納物Ｗの確認を簡単に行うことができると共に、既存のキャビネット１１等にも簡単に適用できて、不便を感じていた吊り戸棚４の使い勝手を安価な構成によって簡単に向上させることが可能になる。
【００２６】
さらに、反射手段として反射シートや金属板等の反射板１５を使用すれば、反射板１５の天板１１ｃ下面や棚板１４下面への取付作業が容易に行なえると共に、反射板１５自体のコストアップを抑えることができて、一層安価な吊り戸棚４を得ることができる。また、反射板１５としてミラーを使用すれば、キャッビット１１の奥に収納されている収納物Ｗであっても、明瞭に写し出すことができて、収納物Ｗの確認をより一層容易に行うことができる。また、反射板１５を傾斜状態で設けるようにすれば、反射板１５下方の収納物Ｗを反射板１５に確実に写し出すことができて、収納物Ｗの確認をより一層容易かつ的確に行うことができる。
【００２７】
図６は、前記吊り戸棚４の他の実施形態を示す斜視図である。この実施形態の吊り戸棚４の特徴は、上記実施形態の反射板１５が収納物Ｗ上方の棚板１４下面や天板１１ｃ下面に配設されるのに対し、反射板１５をキャビネット１９の扉１８の内面に配設した点にある。すなわち、ヒンジ２０によって観音開き式に開放する左右一対の扉１８の内面に、所定の大きさの反射板１５をそれぞれ固着し、この反射板１５にキャビネット１９内の棚面として機能する底板１９ｄ上に載置収納される収納物Ｗを写し出す。
【００２８】
そして、この反射板１５に写し出された収納物の像が、図２と同様に、側板１９ａ、１９ｂ、天板１９ｃ、底板１９ｄ、背面板１９ｅ等からなるキャビネット１９の、下方からの使用者の視線Ｓによって視認することで内部の収納物Ｗが確認される。この実施形態によれば、使用者の視線Ｓの位置に応じて各扉１８の開放角度を所定に設定することで、反射板１５に写し出される収納物Ｗの像を確認できることから、例えば扉１８の開放角度を適宜に調整しつつ、すなわち、扉１８の開放角度によって内部の状況を確認しつつ各収納物Ｗの状態を確認できることになり、収納物Ｗの確認が一層簡単となって、吊り戸棚４の使い勝手を一層向上させること等が可能になる。
【００２９】
なお、本発明における棚構造は、以上の各実施形態に示す吊り戸棚４に限定されず、次のような変形例を包含するものである。すなわち、図６の二点鎖線で示すように、反射板１５をキャビネット１９の側板１９ａ、１９ｂ内面に配設して、この反射板１５に収納物Ｗを写し出す構成としたり、あるいは、図６の二点鎖線で示すように、反射板１５の代わりに、外形形状が円形で表面が凸状（もしくは凹状）の円形のミラー２１を、キャビネット１９の側板１９ｂと天板１９ｃのコーナ部に固定的もしくは角度調整可能に配設し、このミラー２１の指向方向を適宜に設定することで、ミラー２１にキャビネット１９内部の収納物Ｗを写し出す構成とすることもできる。
【００３０】
また、例えば図２の二点鎖線で示すように、天板１１ｃの前端側（もしくは後端側）あるいは左右の側板１１ａ、１１ｂの上部等に蛍光灯や電球等の適宜の照明装置２２を取り付け、この照明装置２２の照明光でキャビネット１１の奥の方を照らすことにより、キャビネット１１内部を明るくした状態で、収納物Ｗを反射板１５に写し出すこともできる。この場合は、キャビネット１１内部が所定の明るさに設定されることから、収納物Ｗの確認がより一層確実に行なえることになり、この時、照明装置２２は例えば扉１０の開閉動作に連動し、開放した際に自動的に点灯するように構成されることが好ましい。
【００３１】
さらに、本発明は、図１に示すキッチン１の吊り戸棚４以外に、例えば図７〜図１０に示すキャビネットに適用することができる。すなわち、図７は、キッチンとリビングとの仕切りとして使用されるハッチ２４への適用であり、下部に収納棚２６を有し側部にワーキングハッチ２７を有するカップボート２５の上部に、左右一対の扉２８を有するキャビネット２９が配置され、このキャビネット２９の図示しない棚板や天板に前記反射手段が配設される。
【００３２】
また、図８は、洗面室ユニット３０への適用であり、洗面室の洗面台３１と洗濯機３２が設置される壁面上部に形成される空間に扉３３を有するキャビネット３４が配置され、このキャビネット３４内の適宜部位に反射手段が配設される。さらに、図９は、洗面化粧台３５への適用であり、洗面化粧台３５のミラー３６上部に扉３７を有するキャビネット３８が一体的に組み込み配置され、このキャビネット３８内の所定部位に反射手段が配設される。また、図１０は、玄関収納３９への適用であり、玄関に配置される下部収納キャビネット４０の上面カウンター４１の上方に扉４２を有するキャビネット４３が配置され、このキャビネット４３内の所定部位に反射手段が配設される。
【００３３】
このように本発明を一般家庭内の水廻り空間や玄関等で比較的高い位置に配置される前述した各種キャビネットに適用することにより、各キャビネットのバリエーションに容易に対応しつつ最適状態で組み込み、各商品の付加価値の向上とその使い勝手の一層の向上を図ることが可能になる。
【００３４】
なお、本発明は、これらの各種キャビネット以外にも、例えばキッチンのシステムストッカーの上部収納棚、あるいは一般家庭以外の工場等の収納棚や収納庫等にも適用することができる。また、本発明は、観音開き式の扉に限らず、上下方向へ回動する扉等、扉の開き方向は限定されず、さらには扉を有するキャビネットに限らず、例えば壁面に単に棚板を固定した場合の棚にも適用でき、この場合は、前記天板の代わりに天井を利用して反射手段を配設したり、前述したミラー等を壁面や天井に配設する構造が好ましい。
【００３５】
さらに、本発明における棚の棚板数は、図１に示す１枚あるいは図６に示す棚板がない場合に限らず、棚板数を適宜に増加することもでき、この場合、反射手段は全ての棚板に配設する必要はなく、少なくとも最上部の棚板に対応した天板等に配設する構造とすることもできる。また、本発明は、上記した各例のそれぞれに限定されるものでもなく、各例の一部もしくは全部を適宜に組み合わせる構造とすることも勿論可能である。
【００３６】
【発明の効果】
以上詳述したように、請求項１に記載の発明によれば、棚面として機能する板体の上方に、該板体上に載置収納される収納物を写し出してその像を使用者に視認させ得る反射手段が配設されるため、使用者の目線より高い位置に収納される収納物であっても、踏み台等を使用することなく反射手段に写し出された像で収納物の確認が極めて容易に行なえ、棚の使い勝手の向上を図ることができる。
【００３７】
また、請求項２に記載の発明によれば、請求項１に記載の発明の効果に加え、反射手段が棚を構成する板体上方の天板下面もしくは他の板体下面に一体的に配設されるため、反射手段でその下方の収納物を確実に写し出すことができて、収納物の確認を一層容易に行なうことができる。
【００３８】
また、請求項３に記載の発明によれば、請求項１または２に記載の発明の効果に加え、反射手段が棚を構成する開閉可能な扉の内面に配設されるため、扉の開放角度によって内部の収納物を確実に写し出すことができて、収納物の確認をより一層容易に行なうことができる。
【００３９】
また、請求項４に記載の発明によれば、請求項２または３に記載の発明の効果に加え、反射手段が天板下面、棚板下面もしくは扉内面に傾斜状態で配設されるため、棚板上等に収納された収納物を傾斜状態の反射手段で一層確実に写し出すことができて、収納物の確認をより一層容易に行なうことができる。
【００４０】
また、請求項５に記載の発明によれば、請求項１ないし４に記載の発明の効果に加え、反射手段がミラーもしくは反射板で形成されるため、ミラーを使用することで収納物を明瞭に写し出すことができ、金属板や反射シート等の反射板を使用することで反射手段を天板下面等に簡単に取り付けできる等、反射手段の構成の簡略化が図れて安価に形成することができる。
【００４１】
また、請求項６に記載の発明によれば、請求項１ないし５に記載の発明の効果に加え、棚が箱状のキャビネットで構成されるため、普段使用しない収納物をキャビネット内に確実に収納することができると共に、箱状の棚を壁面に良好な状態で配置できる等の効果を奏する。
【図面の簡単な説明】
【図１】本発明に係わる棚構造をキッチンに適用した場合の一実施形態を示す斜視図
【図２】同その要部の断面図
【図３】同図２のＡ−Ａ線矢視図
【図４】同その変形例を示す図３と同様の矢視図
【図５】同他の変形例を示す断面図
【図６】同キッチンの他の実施形態を示す斜視図
【図７】本発明の棚構造をハッチに適用した場合の斜視図
【図８】本発明の棚構造を洗面室に適用した場合の斜視図
【図９】本発明の棚構造を洗面台に適用した場合の斜視図
【図１０】本発明の棚構造を玄関収納に適用した場合の斜視図
【符号の説明】
１・・・・・・・・・キッチン
２・・・・・・・・・下部キャビネット
３・・・・・・・・・カウンター
４・・・・・・・・・吊り戸棚
１０・・・・・・・・扉
１１・・・・・・・・キャビネット
１１ｃ・・・・・・・天板
１１ｄ・・・・・・・底板
１２・・・・・・・・扉
１３・・・・・・・・キャビネット
１４・・・・・・・・棚板
１５・・・・・・・・反射板
１６・・・・・・・・固着手段
１７・・・・・・・・パッキン
１８・・・・・・・・扉
１９・・・・・・・・キャビネット
２１・・・・・・・・ミラー
２２・・・・・・・・照明装置
２３・・・・・・・・壁面
２４・・・・・・・・ハッチ
２９・・・・・・・・キャビネット
３０・・・・・・・・洗面室ユニット
３４・・・・・・・・キャビネット
３５・・・・・・・・洗面化粧台
３８・・・・・・・・キャビネット
３９・・・・・・・・玄関収納
４３・・・・・・・・キャビネット
Ｗ・・・・・・・・・収納物
Ｓ・・・・・・・・・視線
【図１】
2004344248.tif 000003
【図２】
2004344248.tif 000004
【図３】
2004344248.tif 000005
【図４】
2004344248.tif 000006
【図５】
2004344248.tif 000007
【図６】
2004344248.tif 000008
【図７】
2004344248.tif 000009
【図８】
2004344248.tif 000010
【図９】
2004344248.tif 000011
【図１０】
2004344248.tif 000012